(57)【特許請求の範囲】
【請求項１】
１取引として販売される商品の販売データを登録する商品登録手段と前記１取引として販売される商品の登録終了を宣言する登録締め手段とを有する複数台の決済端末と、データファイルを有する管理サーバとを、データ相互伝送自在に接続してなり、
前記各決済端末は、前記商品登録手段により登録された商品の販売データを１取引分記憶する第１の取引データ記憶部と、前記１取引の仮締めを宣言する仮締め手段と、この仮締め手段により前記１取引の仮締めが宣言されると前記第１の取引データ記憶部に記憶されている１取引分の商品販売データを当該１取引を識別する識別コードとともに前記管理サーバに送信して前記データファイルに記憶させる仮締め処理手段と、前記識別コードを記録した記録媒体を発行する媒体発行手段と、前記記録媒体に記録された識別コードを読込むデータ読込み手段と、前記識別コードを記憶する識別コード記憶部と、前記データ読込み手段により読込んだ識別コードが前記識別コード記憶部に記憶されているか否かを判断するコード判断手段と、このコード判断手段により該当識別コードが前記識別コード記憶部に記憶されていないと判断されると、該当識別コードを前記識別コード記憶部に記憶させるとともに前記管理サーバのデータファイルから該当識別コードとともに記憶されている１取引分の商品販売データを読み出す読出し処理手段と、この読出し処理手段により前記管理サーバのデータファイルから読み出された商品販売データを記憶する第２の取引データ記憶部と、前記登録締め手段により登録終了が宣言されると前記第１及び第２の取引データ記憶部それぞれ記憶されている全商品販売データに基づいて決済処理する一括決済処理手段とを具備したことを特徴とする商品販売登録データ処理システム。
【請求項２】
１取引として販売される商品の販売データを登録する商品登録手段と前記１取引として販売される商品の登録終了を宣言する登録締め手段とを有する複数台の決済端末と、データファイルを有する管理サーバとを、データ相互伝送自在に接続してなり、
各決済端末は、各販売員にそれぞれ設定される販売員コードを入力する販売員コード入力手段と、この入力手段により販売員コードが入力された状態で前記商品登録手段により登録された商品販売データを前記販売員コードとともに１取引分記憶する第１の取引データ記憶部と、前記１取引の仮締めを宣言する仮締め手段と、この仮締め手段により前記１取引の仮締めが宣言されると前記第１の取引データ記憶部に記憶されている１取引分の商品販売データ及び販売員コードを当該１取引を識別する識別コードとともに前記管理サーバに送信して前記データファイルに記憶させる仮締め処理手段と、前記識別コードを記録した記録媒体を発行する媒体発行手段と、前記記録媒体に記録された識別コードを読込むデータ読込み手段と、このデータ読込み手段により読込んだ識別コードとともに記憶されている１取引分の商品販売データ及び販売員コードを前記管理サーバのデータファイルから読み出す読出し処理手段と、この読出し処理手段により前記管理サーバのデータファイルから読み出された商品販売データ及び販売員コードを記憶する第２の取引データ記憶部と、前記登録締め手段により登録終了が宣言されると前記第１及び第２の取引データ記憶部にそれぞれ記憶されている全商品販売データ及び販売員コードに基づいて決済処理する一括決済処理手段とを具備したことを特徴とする商品販売登録データ処理システム。
【請求項３】
媒体発行手段は、識別コードをバーコード化したバーコードシンボルを記録紙に印字して発行する手段であり、データ読込み手段は、前記記録紙に印字されたバーコードシンボルを読込む手段であることを特徴とする請求項１または２記載の商品販売登録データ処理システム。
【請求項４】
媒体発行手段は、複数の識別コードを記録可能なカードに当該１取引の識別コードを書込む手段であり、データ読込み手段は、前記カードに記録された識別コードを読込む手段であることを特徴とする請求項１または２記載の商品販売登録データ処理システム。
【請求項５】
１取引として販売される商品の販売データを登録する商品登録手段と前記１取引として販売される商品の登録終了を宣言する登録締め手段とを有し、データファイルを有する管理サーバとデータ相互伝送自在に接続してなる決済端末において、
前記商品登録手段により登録された商品の販売データを１取引分記憶する第１の取引データ記憶部と、
前記１取引の仮締めを宣言する仮締め手段と、
この仮締め手段により前記１取引の仮締めが宣言されると前記第１の取引データ記憶部に記憶されている１取引分の商品販売データを当該１取引を識別する識別コードとともに前記管理サーバに送信して前記データファイルに記憶させる仮締め処理手段と、
前記識別コードを記録した記録媒体を発行する媒体発行手段と、
前記記録媒体に記録された識別コードを読込むデータ読込み手段と、
前記識別コードを記憶する識別コード記憶部と、
前記データ読込み手段により読込んだ識別コードが前記識別コード記憶部に記憶されているか否かを判断するコード判断手段と、
このコード判断手段により該当識別コードが前記識別コード記憶部に記憶されていないと判断されると、該当識別コードを前記識別コード記憶部に追加するとともに前記管理サーバのデータファイルから該当識別コードとともに記憶されている１取引分の商品販売データを読み出す読出し処理手段と、
この読出し処理手段により前記管理サーバのデータファイルから読み出された商品販売データを記憶する第２の取引データ記憶部と、
前記登録締め手段により登録終了が宣言されると前記第１及び第２の取引データ記憶部にそれぞれ記憶されている全商品販売データに基づいて決済処理する一括決済処理手段と、
を具備したことを特徴とする決済端末。
【請求項６】
１取引として販売される商品の販売データを登録する商品登録手段と前記１取引として販売される商品の登録終了を宣言する登録締め手段とを有し、データファイルを有する管理サーバをデータ相互伝送自在に接続してなる決済端末において、
各販売員にそれぞれ設定される販売員コードを入力する販売員コード入力手段と、
この入力手段により販売員コードが入力された状態で前記商品登録手段により登録された商品販売データを前記販売員コードとともに１取引分記憶する第１の取引データ記憶部と、
前記１取引の仮締めを宣言する仮締め手段と、
この仮締め手段により前記１取引の仮締めが宣言されると前記第１の取引データ記憶部に記憶されている１取引分の商品販売データ及び販売員コードを当該１取引を識別する識別コードとともに前記管理サーバに送信して前記データファイルに記憶させる仮締め処理手段と、
前記識別コードを記録した記録媒体を発行する媒体発行手段と、
前記記録媒体に記録された識別コードを読込むデータ読込み手段と、
このデータ読込み手段により読込んだ識別コードとともに記憶されている１取引分の商品販売データ及び販売員コードを前記管理サーバのデータファイルから読み出す読出し処理手段と、
この読出し処理手段により前記管理サーバのデータファイルから読み出された商品販売データ及び販売員コードを記憶する第２の取引データ記憶部と、
前記登録締め手段により登録終了が宣言されると前記第１及び第２の取引データ記憶部にそれぞれ記憶されている全商品販売データ及び販売員コードに基づいて決済処理する一括決済処理手段と、
を具備したことを特徴とする決済端末。
【発明の詳細な説明】
【０００１】
【発明の属する技術分野】
本発明は、百貨店等で１人の買物客が複数の売場で購入した商品を一括して決済することを可能にした商品販売登録データ処理システムに関する。
【０００２】
【従来の技術】
複数の売場が集まった百貨店では、一般に、買物客が買上げる商品の販売データを登録処理してその買物客との商取引を決済する機能を有した決済端末を各売場にそれぞれ設置するとともに、データファイルを有する管理サーバを店の管理事務所などに設置し、各売場の決済端末と管理サーバとをＬＡＮ（Local Area Network）等の通信回線で相互データ通信自在に接続して、商品販売登録データ処理システムを構築している。このシステムをＰＯＳ（Point Of Sales：販売時点情報管理）システムと称し、決済端末をＰＯＳターミナルと称している。
【０００３】
このような商品販売登録データ処理システムを構築することにより、各決済端末でそれぞれ登録処理された各商品の販売データを管理サーバがオンライン収集し、データファイルで決済端末別に集計することによって、店舗全体の売上のみならず売場別の売上を容易に管理できるようになる。ただし、この売場別の売上管理を実現するためには、売場毎にその売場に設置された決済端末で買物客との商取引を決済することが原則となる。
【０００４】
ところが百貨店では、例えば店への売上げ貢献度が高い上得意客が来店すると、販売員が客に付いて各売場を廻り（１人の販売員が専任として付く場合と、売場毎に専門の販売員が交替で付く場合がある）、買い物を終了した時点で各売場で買上げた商品を一括してクレジット等の方法で決済することを可能にしている。因みに、このようなサービスを買廻りサービスと称している。そこで従来は、各売場に設置されている決済端末とは別に一括決済専用の決済端末をシステムに組み込み、買廻サービスによって買物客（上得意客）が各売場で買上げた商品の販売データをその商品の売場に設置されている決済端末のＩＤコードと対にして当該一括決済専用の決済端末で登録する。管理サーバは、この決済端末から収集した商品販売データをそれに関連する決済端末のＩＤコードに基づいて振り分け、データファイルで集計する。商品販売登録データ処理システムをこのように構成することにより、売場別の売上管理機能を損なうことなく１人の買物客が複数の売場で購入した商品の一括決済を可能にしていた。
【０００５】
ところで百貨店では、買廻サービスによって上得意客が買上げた商品の売上をその客に付いた販売員の営業実績として評価している。そこで従来は、上得意客が買上げた商品の販売データをその商品の売場に設置されている決済端末のＩＤコードと対にして一括決済専用の決済端末に登録する際に、その商品の売上に貢献した販売員のＩＤコードも登録する。管理サーバは、この決済端末から収集した商品販売データをそれに関連する販売員のＩＤコードに基づいて振り分け、データファイルで集計する。商品販売登録データ処理システムをこのように構成することによって、各販売員の営業実績をも管理サーバで管理できるようにしていた。
【０００６】
【発明が解決しようとする課題】
上述したように、従来のこの種の商品販売登録データ処理システムにおいては、１人の買物客が複数の売場で購入した商品を一括して決済することを可能にするために、各売場に設置されている決済端末とは別に一括決済専用の決済端末を用意しなければならなかった。このため、コスト高であった上、一括決済専用の決済端末の設置スペースが必要であった。
【０００７】
また、一括決済専用の決済端末では買物客が買上げた商品の販売データとともにその商品の売場に設置されている決済端末のＩＤコードやその商品の買上げに貢献した販売員のＩＤコードを入力する必要があるので、商品の買上げがあった売場毎にその商品のコード，点数，金額や決済端末のＩＤコード並びに販売員のＩＤコード等を明記した買廻伝票を手書き作成して販売員が持ち歩き、買い物を終了した時点でその伝票をみながら一括決済専用の決済端末に必要なデータを入力していた。このため、買廻伝票の手書き作成が販売員の大きな負担になっていた上、伝票をみながらデータを入力するので入力に多大な手間と時間を要していた。また、入力ミスも発生し易く、売場別の売上管理や販売員の営業実績管理の信頼性に問題があった。
【０００８】
本発明はこのような事情に基づいてなされたもので、その目的とするところは、簡単かつ安価な構成で迅速かつ正確に複数の売場で購入された商品の一括決済を行なうことができる商品販売登録データ処理システムを提供しようとするものである。
【０００９】
【課題を解決するための手段】
本願請求項１記載の発明は、１取引として販売される商品の販売データを登録する商品登録手段と１取引として販売される商品の登録終了を宣言する登録締め手段とを有する複数台の決済端末と、データファイルを有する管理サーバとを、データ相互伝送自在に接続してなる商品販売データ処理システムである。そして特に、各決済端末に、商品登録手段により登録された商品の販売データを１取引分記憶する第１の取引データ記憶部と、１取引の仮締めを宣言する仮締め手段と、この仮締め手段により１取引の仮締めが宣言されると第１の取引データ記憶部に記憶されている１取引分の商品販売データを当該１取引を識別する識別コードとともに管理サーバに送信してデータファイルに記憶させる仮締め処理手段と、識別コードを記録した記録媒体を発行する媒体発行手段と、記録媒体に記録された識別コードを読込むデータ読込み手段と、識別コードを記憶する識別コード記憶部と、データ読込み手段により読込んだ識別コードが識別コード記憶部に記憶されているか否かを判断するコード判断手段と、このコード判断手段により該当識別コードが識別コード記憶部に記憶されていないと判断されると、該当識別コードを識別コード記憶部に記憶させるとともに管理サーバのデータファイルから該当識別コードとともに記憶されている１取引分の商品販売データを読み出す読出し処理手段と、この読出し処理手段により管理サーバのデータファイルから読み出された商品販売データを記憶する第２の取引データ記憶部と、登録締め手段により登録終了が宣言されると第１及び第２の取引データ記憶部それぞれ記憶されている全商品販売データに基づいて決済処理する一括決済処理手段とを設けたものである。
このような構成の商品販売登録データ処理システムにおいては、決済端末において１取引として販売される商品の販売データが登録されると、その１取引分の商品販売データが第１の取引データ記憶部に記憶される。ここで、仮締め手段により１取引の仮締めが宣言されると、第１の取引データ記憶部に記憶された１取引分の商品販売データが当該１取引を識別する識別コードとともに管理サーバに送信されて、データファイルに記憶される。このとき、前記識別コードを記録した記録媒体が発行される。
また、決済端末においてデータ読込み手段により記録媒体に記録された識別コードが読込まれると、その識別コードが識別コード記憶部に記憶されているか否かが判断される。そして記憶されていない場合に限り、該当識別コードが識別コード記憶部に記憶されるとともに管理サーバのデータファイルから該当識別コードとともに記憶されている１取引分の商品販売データが読み出されて、第２の取引データ記憶部に記憶される。ここで、登録締め手段により登録終了が宣言されると、第１及び第２の取引データ記憶部にそれぞれ記憶されている全商品販売データに基づいて決済処理が行なわれる。
そこで、買廻サービスにより複数の売場で商品を買上げる客に対しては、買上があった売場毎にその売場の決済端末で１取引として買上げ商品の販売データを登録する。ここで、客が他の売場でまだ買い物を続ける場合には、仮締め手段により１取引の仮締めを宣言する。一方、この売場で買い物を終了する場合には、他の売場で発行された記録媒体に記録された識別コードをデータ読込み手段により読込ませた後、登録締め手段により登録終了を宣言する。こうすることにより、買い物を終えた売場の決済端末で、他の売場で買上げられた商品を含めての一括決済が可能となる。したがって、一括決済専用の決済端末を不要にできる。また、買廻伝票を手書きで作成する必要もなくなる。さらに、買上があった売場毎にその売場の決済端末で１取引として買上げ商品の販売データが登録されるので、売場別売上管理の信頼性も向上される。
【００１０】
本願請求項２記載の発明は、前記請求項１記載の発明の各決済端末に、各販売員にそれぞれ設定される販売員コードを入力する販売員コード入力手段を設ける。そして、第１の取引データ記憶部にて、商品登録手段により登録された商品の販売データを販売員コードとともに１取引分記憶するものとし、仮締め処理手段を、１取引の仮締めが宣言されると第１の取引データ記憶部に記憶されている１取引分の商品販売データ及び販売員コードを当該１取引を識別する識別コードとともに管理サーバに送信してデータファイルに記憶させる手段とし、読出し処理手段を、管理サーバのデータファイルからデータ読込み手段により読込んだ識別コードとともに記憶されている１取引分の商品販売データ及び販売員コードを読み出す手段とし、一括決済処理手段を、登録終了が宣言されると第１及び第２の取引データ記憶部にそれぞれ記憶されている全商品販売データ及び販売員コードに基づいて決済処理する手段としたものである。
このような構成の商品販売登録データ処理システムにおいては、決済端末において販売員コード入力手段により販売員コードが入力された状態で、１取引として販売される商品の販売データが登録されると、その１取引分の商品販売データが入力された販売員コードとともに第１の取引データ記憶部に記憶される。ここで、仮締め手段により１取引の仮締めが宣言されると、第１の取引データ記憶部に記憶された１取引分の商品販売データと販売員コードとが当該１取引を識別する識別コードとともに管理サーバに送信されて、データファイルに記憶される。このとき、前記識別コードを記録した記録媒体が発行される。
また、決済端末においてデータ読込み手段により記録媒体に記録された識別コードが読込まれると、その識別コードをキーに管理サーバのデータファイルから該当する１取引分の商品販売データと販売員コードとが読み出されて、第２の取引データ記憶手段により記憶される。ここで、登録締め手段により登録終了が宣言されると、第１及び第２の取引データ記憶部にそれぞれ記憶されている全商品販売データ及び販売員コードに基づいて決済処理が行なわれる。
したがって、買廻サービスにより複数の売場で商品を買上げる客に対しては、買上があった売場毎にその売場の決済端末で買上げ商品の販売データを登録するが、その登録に先立ち、商品の買上に貢献した販売員の販売員コードを確実に入力するようになり、販売員の実績管理の信頼性が向上される。
【００１１】
本願請求項３記載の発明は、上記請求項１または２記載の発明において、媒体発行手段を、識別コードをバーコード化したバーコードシンボルを記録紙，例えばレシート用紙に印字して発行する手段とし、それに応じてデータ読込み手段を、記録紙に印字されたバーコードシンボルを読込む手段としたものである。
こうすることにより、識別コードの読込みが簡単であり、また入力ミスもなくなる。
【００１２】
本願請求項４記載の発明は、上記請求項１または２記載の発明において、媒体発行手段を、複数の識別コードを記録可能なカード，例えばＩＣカードや磁気カードに当該１取引の識別コードを書込む手段とし、それに応じてデータ読込み手段を、カードに記録された識別コードを読込む手段としたものである。
こうすることにより、識別コードの読込みが簡単であり、また入力ミスもなくなる。しかも、買廻サービスにより複数の売場で商品を買上げる１客に対して発行される記録媒体がカード１枚で済む上、１つのカードリーダライタで書込み手段及び読込み手段を兼用できる。
【００１３】
【発明の実施の形態】
以下、本発明の実施の形態を図面を用いて説明する。
なお、この実施の形態は、特定の買物客（例えば上得意客）に販売員が付いて各売場を廻り、買い物が終了した時点で各売場で買上げた商品を一括して決済する買廻サービスを実施する百貨店に構築されるＰＯＳシステムに本発明を適用した場合である。
【００１４】
図１は本実施の形態であるＰＯＳシステムの概略図であり、決済端末としての複数台のＰＯＳターミナル１と、売場別集計ファイル２Ａ，販売員別集計ファイル２Ｂ，買廻品管理ファイル２Ｃ等のデータファイルを有する管理サーバ２とを、ＬＡＮ等の通信回線３で相互データ通信自在に接続している。
【００１５】
前記売場別集計ファイル２Ａは、管理サーバ２が各ＰＯＳターミナル１から収集したトランザクションデータを元に商品の売上を売場別に集計するためのファイルである。
前記販売員別集計ファイル２Ｂは、同じくトランザクションデータを元に、上得意客について接客する各販売員の売上を販売員別に集計するためのファイルである。
前記買廻品管理ファイル２Ｃは、図２に示すように、後述する買廻票コードに対応して買廻商品情報を記憶保持するためのファイルである。ここで、買廻商品情報は、１取引として販売された商品の商品コード，販売点数，販売金額及び付随情報（衣服などの補修情報，配送時の情報，連絡先などの顧客情報など）と、その商品が販売された売場の売場コードと、その商品の販売に貢献した販売員の販売員コードであり、１取引で複数の商品が販売された場合は、その複数商品分の情報が存在する。
【００１６】
さて、本実施の形態においては、各ＰＯＳターミナル１が、各販売員にそれぞれ設定されるＩＤコード，いわゆる販売員コードを入力する販売員コード入力手段と、この入力手段により販売員コードが入力された状態で商品登録手段により登録された商品販売データを前記販売員コード等とともに１取引分記憶する第１の取引データ記憶部と、１取引の仮締めを宣言する仮締め手段と、この仮締め手段により１取引の仮締めが宣言されると第１の取引データ記憶部に記憶されている１取引分の商品販売データ及び販売員コード等を、当該１取引を識別する識別コードである買廻票コードとともに管理サーバ２にオンライン送信して前記買廻品管理ファイル２Ｃに記憶させる仮締め処理手段と、前記買廻票コードをバーコード化したバーコードシンボルを印字記録したレシート用紙を買廻票４（図５参照）として発行する媒体発行手段と、買廻票４に印字記録された買廻票コードのバーコードシンボルを読込むデータ読込み手段と、このデータ読込み手段により読込んだバーコードシンボルから解析した買廻票コードをキーに管理サーバ２の買廻品管理ファイル２Ｃから該当する１取引分の商品販売データ及び販売員コード等を読み出す読出し処理手段と、この読出し処理手段により管理サーバ２の買廻品管理ファイル２Ｃから読み出された商品販売データ及び販売員コード等を記憶する第２の取引データ記憶部と、登録締め手段により登録終了が宣言されると第１及び第２の取引データ記憶部にそれぞれ記憶されている全商品販売データ及び販売員コード等に基づいて決済処理する一括決済処理手段とを有している。
以下、各手段を具体的に説明する。
【００１７】
各ＰＯＳターミナル１は同一構成で、その要部を図３のブロック図で示す。すなわちＰＯＳターミナル１は、制御部本体としてＣＰＵ（Central Processing Unit）１１を備えている。また、プログラムなどの固定的データを予め格納したＲＯＭ（Read Only Memory）１２、商品販売データの登録処理及びその決済処理に必要な各種のメモリエリアが形成されたＲＡＭ（Random Access Memory）１３、現日付及び時刻を計時する時計部１４、前記通信回線３を介して管理サーバ２との間で行なうデータの送受信を制御する通信インタフェース１５、ドロワ１６の開閉を制御するドロワコントローラ１７、キーボード１８から操作キーに対応したキー信号を取込むキーボードコントローラ１９、オペレータ用表示器２０及び客用表示器２１のデータ表示を制御する表示コントローラ２２、プリンタ２３によるレシート印字などを制御するプリンタコントローラ２４、バーコードスキャナ２５で読取ったバーコードデータを取込むスキャナコントローラ２６、カードリーダライタ２７で読取ったカードデータの取込み及びカードデータの書き込みを制御するリーダライタコントローラ２８などを備えている。そして、前記ＣＰＵ１１と、ＲＯＭ１２，ＲＡＭ１３，時計部１４，通信インタフェース１５及び各コントローラ１７，１９，２２，２４，２６，２８とを、アドレスバス，データバスなどのバスライン２９で接続して、ＰＯＳターミナル１の制御回路を構成している。
【００１８】
前記キーボード１８には、図４に示すように、テンキー，ＰＬＵキー，部門キー，×キー，値引キー，割引キー，取消キー，直前取消キー等の商品販売データの入力に供する商品登録手段としての商品登録用キーの他、販売員キーＫ１、買廻呼出キーＫ２，買廻キーＫ３，預／現計キーＫ４，クレジットキーＫ５，商品券キーＫ６，掛計キーＫ７などの各種キーが配設されている。
【００１９】
販売員キーＫ１は、前記販売員コードの入力を宣言するキーであり、本実施の形態では、各販売員がそれぞれ自己に設定された販売員コードをバーコード化したバーコードシンボルを印刷した名札を所持しており、販売員キーＫ１の入力後、この名札のバーコードシンボルをバーコードスキャナ２５でスキャニングすることによって販売員コードを入力するようにする。ここに、販売員キーＫ１とバーコードスキャナ２５とは、前記販売員コード入力手段を構成する。
買廻呼出キーＫ２は、買廻票４に印刷された買廻票コードの入力を宣言するキーであり、本実施の形態では、買廻票４に買廻票コードをバーコード化したバーコードシンボルを印刷して発行し、買廻呼出キーＫ２の入力後、買廻票４のバーコードシンボルをバーコードスキャナ２５でスキャニングすることによって買廻票コードを入力するようにする。ここに、この買廻呼出キーＫ２とバーコードスキャナ２５には、前記データ読込み手段を構成する。
【００２０】
買廻キーＫ３は、当該ＰＯＳターミナル１が設置されている売場に引き続き、別の売場で買い物を行なう客が買上げた商品の登録終了を宣言するキーであり、前記仮締め手段を構成する。
預／現計キーＫ４は、現金支払いによる１取引の決済を宣言するキーであり、クレジットキーＫ５は、クレジットカードによる１取引の決済を宣言するキーであり、商品券キーＫ６は、商品券での支払いによる１取引の決済を宣言するキーであり、掛計キーＫ７は掛売りによる１取引の決済を宣言するキーであって、これらのキーはいずれも前記登録締め手段を構成する。なお、預／現計キーＫ４，クレジットキーＫ５，商品券キーＫ６及び掛計キーＫ７を総称して締めキーと称する。
【００２１】
前記ＲＡＭ１３には、特に図６に示すように、売場コード，販売員コード，商品コード，販売点数，販売金額及び付随情報（衣服などの補修情報，配送時の情報，連絡先などの顧客情報など）の各項目で構成されるレコードを複数記憶可能な一対のバッファ３１，３２と、各ＰＯＳターミナル毎に設定されるＩＤコードとしての売場コード（ＴＭｎｎ）を設定記憶する売場コードメモリ３３と、当該ＰＯＳターミナル１で処理する取引順に発番する取引番号（ｚｚｚｚｚｚ）を計数する取引番号カウンタ３４と、前記販売員コード入力手段によって入力される販売員コードを記憶する販売員コードメモリ３５と、１取引の商品登録開始に応じて“１”にセットされる取引処理フラグＦ１のフラグメモリ３６と、前記買廻品管理ファイル２Ｃに記憶保持された買廻商品情報の呼出に応じて“１”にセットされる買廻処理フラグＦ２のフラグメモリ３７と、前記データ読込み手段により読込んだバーコードシンボルから解析した買廻票コードを蓄積記憶する買廻票コードメモリ３８とを形成している。
【００２２】
ここで、一方のバッファ３１は、後述する販売員キー処理において商品登録手段により登録された商品の販売データ（商品コード，販売点数，販売金額，付随情報）を売場コード及び販売員コードとともに１取引分記憶するものであり、前記第１の取引データ記憶部を構成する。また、他方のバッファ３２は、後述する買廻呼出キー処理において管理サーバ２の買廻品管理ファイル２Ｃから読み出した買廻商品情報，すなわち１取引分の商品販売データ及びそれに関連する売場コード並びに販売員コードを記憶するものであり、前記第２の取引データ記憶部を構成する。なお、説明の便宜上、一方のバッファ３１を取引商品バッファ３１と称し、他方のバッファ３２を買廻商品バッファ３２と称する。
【００２３】
しかして、各ＰＯＳターミナル１は、前記販売員キーＫ１の入力に応じてＣＰＵ１１が図７の流れ図に示す処理を実行するように、ＲＯＭ１２のプログラムを構成している。
すなわちＣＰＵ１１は、前記販売員キーＫ１の入力を検知すると、ＳＴ（ステップ）１として販売員コードのスキャニング入力を待機する。そして、バーコードスキャナ２５によって販売員が所持する名札に印刷された販売員コードのバーコードシンボルがスキャニングされたことを検知すると、そのバーコードシンボルを解析して販売員コードを取得する。そして、ＳＴ２としてその販売員コードを販売員コードメモリ３５に上書き格納する。
【００２４】
次に、ＳＴ３として商品販売データの登録を待機する。そして、商品登録用キーの入力により商品コード，販売点数，販売金額，付随情報等の商品販売データが登録されると、ＳＴ４としてフラグメモリ３６の取引処理フラグＦ１をチェックする。ここで、取引処理フラグＦ１が“１”にセットされていない場合には、１取引として販売される最初の商品の販売データが登録されたので、ＳＴ５として取引番号カウンタ３４を「１」だけカウントアップする。また、ＳＴ６として取引商品バッファ３１のデータをオールクリアする。さらに、ＳＴ７として前記取引処理フラグＦ１を“１”にセットする。しかる後、ＳＴ８として登録された商品販売データを売場コードメモリ３３に設定されている売場コード並びに販売員コードメモリ３５に記憶された販売員コードとともに取引商品バッファ３１の先頭レコードエリアに格納したならば、この販売員キー処理を終了する。
【００２５】
一方、ＳＴ４にて取引処理フラグＦ１が既に“１”にセットされていた場合には、１取引として販売される２品目以降の商品の販売データが登録されたので、前記ＳＴ５乃至ＳＴ７の処理は行なわずにＳＴ８に進み、登録された商品販売データを売場コードメモリ３３の売場コード並びに販売員コードメモリ３５の販売員コードとともに取引商品バッファ３１の２番目以降のレコードエリアに順次格納して、この販売員キー処理を終了する。
【００２６】
また、各ＰＯＳターミナル１は、前記買廻呼出キーＫ２の入力に応じてＣＰＵ１１が図８の流れ図に示す処理を実行するように、ＲＯＭ１２のプログラムを構成している。
すなわちＣＰＵ１１は、前記買廻呼出キーＫ２の入力を検知すると、ＳＴ１として買廻票コードのスキャニング入力を待機する。そして、バーコードスキャナ２５によって買廻票４に印刷された買廻票コードのバーコードシンボルがスキャニングされたことを検知すると、そのバーコードシンボルを解析して買廻票コードを取得し、ＲＡＭ１３のワークエリア（不図示）に一時格納する。
【００２７】
次に、ＳＴ２としてフラグメモリ３７の買廻処理フラグＦ２をチェックする。ここで、買廻処理フラグＦ２が“１”にセットされていない場合には、買廻商品情報の最初の呼出なので、ＳＴ３として買廻商品バッファ３２と買廻コードメモリ３８のデータをオールクリアする。また、ＳＴ４として前記買廻処理フラグＦ２を“１”にセットする。しかる後、ＳＴ５としてワークエリアに一時格納した買廻票コードを買廻票コードメモリ３８に格納する。
【００２８】
一方、ＳＴ２にて買廻処理フラグＦ２が“１”にセットされている場合には、買廻商品情報の２回目以降の呼出なので、ＳＴ６としてワークエリアに一時格納した買廻票コードが買廻票コードメモリ３８に格納されているか否かをチェックする。そして格納されている場合には、当該買廻票コードの買廻商品情報は既に読出されており二重読出しなので、操作エラーとする。
ＳＴ６にてワークエリアに一時格納した買廻票コードが買廻票コードメモリ３８に格納されていない場合にはＳＴ５に進み、この買廻票コードを買廻票コードメモリ３８に追加格納する。
【００２９】
次に、ＳＴ７としてワークエリアに一時格納した買廻票コードを検索キーとして問合せ伝文を作成し、この伝文を通信回線３を介して管理サーバ２に送信して、問合せを行なう。これに応じて、管理サーバ２では買廻品管理ファイル２Ｃを検索して当該買廻票コードに対応する買廻商品情報を読出し、問合せ元のＰＯＳターミナル１に応答送信する。そこでＣＰＵ１１は、ＳＴ８として問合せ伝文を送信後、一定時間内に買廻商品情報の正常応答を受信したならば、ＳＴ９としてその買廻商品情報を買廻商品バッファ３２に展開して記憶する。
以上で、この買廻呼出キー処理を終了する。なお、ＳＴ８にて一定時間内に買廻商品情報の正常応答を受信できなかった場合には、システムエラーとする。
【００３０】
また、各ＰＯＳターミナル１は、前記買廻キーＫ３の入力に応じてＣＰＵ１１が図９の流れ図に示す処理を実行するように、ＲＯＭ１２のプログラムを構成している。
すなわちＣＰＵ１１は、前記買廻キーＫ３の入力を検知すると、ＳＴ１としてフラグメモリ３６の取引処理フラグＦ１をチェックする。ここで、取引処理フラグＦ１が“１”にセットされていない場合には、１取引として販売する商品の販売データが未登録の状態で仮締めを宣言する買廻キーＫ３が入力された誤操作なので、操作エラーとする。
【００３１】
ＳＴ１にて取引処理フラグＦ１が“１”にセットされていた場合には、ＳＴ２として当該１取引を識別する買廻票コードを、売場コードメモリ３３に設定記憶されている売場コードと取引番号カウンタ３４で計数している取引番号とを組み合わせて作成する。因みに、この実施の形態では、売場コードがＴＭｎｎであり、取引番号がｚｚｚｚｚｚであるとき、買廻票コードをＴＭｎｎｚｚｚｚｚｚとする。売場コードＴＭｎｎはＰＯＳターミナル固有のコードであり、取引番号ｚｚｚｚｚｚはそのＰＯＳターミナルで処理される取引固有のコードなので、買廻票コードＴＭｎｎｚｚｚｚｚｚは、仮締めされた１取引を識別する識別コードとして有効である。
【００３２】
次にＣＰＵ１１は、ＳＴ３として取引商品バッファ３１に格納されている全レコード（売場コード，販売員コード，商品コード，点数，金額，付随情報）とＳＴ２で作成した買廻票コードとから買廻品送信伝文を作成する。そしてこの買廻品送信伝文を通信回線３を介して管理サーバ２に送信して、買廻品管理ファイル２Ｃに記憶させる（仮締め処理手段）。
【００３３】
また、ＳＴ４として取引商品バッファ３１から読出した全レコードの内容と、買廻票コードをバーコード化したバーコードシンボルとを、プリンタ２３によりレシート用紙に印字させて、図５に示すような買廻票４を発行する（媒体発行手段）。
しかる後、ＳＴ５として前記各フラグメモリ３６，３７の取引処理フラグＦ１及び買廻処理フラグＦ２をいずれも“０”にリセットしたならば、この買廻キー処理を終了する。
【００３４】
また、各ＰＯＳターミナル１は、前記締めキーＫ４〜Ｋ７の入力に応じてＣＰＵ１１が図１０の流れ図に示す処理を実行するように、ＲＯＭ１２のプログラムを構成している。
すなわちＣＰＵ１１は、前記締めキーＫ４〜Ｋ７の入力を検知すると、ＳＴ１としてフラグメモリ３６の取引処理フラグＦ１をチェックする。ここで、取引処理フラグＦ１が“１”にセットされている場合には、１取引として販売される商品の登録が行なわれているので、ＳＴ２としてフラグメモリ３７の買廻処理フラグＦ２をチェックする。ここで、買廻処理フラグＦ２が“１”にセットされていない場合には、買廻商品情報の呼出無しに１取引の登録終了が宣言されたのでＳＴ６に進み、締めキーの種類に応じた決済処理を実行する。
ＳＴ２にて買廻処理フラグＦ２が“１”にセットされている場合には、１取引として販売される商品の登録とともに買廻商品情報の呼出が行なわれたので、ＳＴ３として買廻商品バッファ３２に記憶されている買廻商品情報，つまり管理サーバ２の買廻品管理ファイル２Ｃから呼び出した買廻商品情報を、１取引として登録された商品の販売データ，売場コード及び販売員コードが格納された取引商品バッファ３１に転送して合成する。しかる後、ＳＴ６に進んで締めキーの種類に応じた決済処理を実行する。
【００３５】
一方、ＳＴ１にて取引処理フラグＦ１が“１”にセットされていない場合にも、ＳＴ４としてフラグメモリ３７の買廻処理フラグＦ２をチェックする。ここで、買廻処理フラグＦ２が“１”にセットされている場合には、買廻商品情報の呼出のみが行なわれて決済が指示されたので、ＳＴ５として取引商品バッファ３１のデータをオールクリアした後、買廻商品バッファ３２の買廻商品情報，つまり買廻品管理ファイル２Ｃから呼び出した買廻商品情報を、上記取引商品バッファ３１に転送する。しかる後、ＳＴ６に進んで締めキーの種類に応じた決済処理を実行する。
なお、ＳＴ４にて買廻処理フラグＦ２も“１”にセットされていない場合には、１取引としての商品登録もなく、かつ買廻商品情報の呼出もない状態で締めキーを入力した誤操作なので、操作エラーとする。
【００３６】
ＳＴ６では取引商品バッファ３１に格納された商品販売データ（商品コード，点数，金額，付随情報）に基づいて、入力締めキーの種類に応じた決済処理を従来と同様に実行する。すなわち、入力締めキーが預／現計キーＫ４の場合には、商品販売データの合計金額と預かり金額とから釣銭額を演算し、オペレータ用表示器２０及び客用表示器２１に表示させるとともに、プリンタ２３によりレシートを印字して発行する。入力締めキーがクレジットキーＫ５の場合には、カードリーダライタ２７で読取ったクレジットカードの信用チェックを行ない、承認されたならば、商品販売データの合計金額をクレジット金額としてプリンタ２３によりクレジット伝票を印字発行する。入力締めキーが商品券キーＫ６及び掛計キーＫ７の場合も同様である（一括決済処理手段）。
【００３７】
こうして、ＳＴ６にて締めキーの種類に応じた決済処理を終了すると、ＣＰＵ１１は、ＳＴ７として前記取引商品バッファ３１の内容を前記トランザクションデータとして通信回線３を介して管理サーバ１に送信する。その後、ＳＴ８として前記各フラグメモリ３６，３７の取引処理フラグＦ１及び買廻処理フラグＦ２をいずれも“０”にリセットしたならば、この締めキー処理を終了する。
【００３８】
なお、上記トランザクションデータを受信した管理サーバ２は、そのトランザクションデータを基に前記売場別集計ファイル２Ａと販売員別集計ファイル２Ｂとを更新する。
【００３９】
このように構成された本実施の形態のＰＯＳシステムを構築した百貨店においては、上得意客に販売員が付いて各売場を廻る買廻サービスを実施する場合、販売員は、上得意客が１つの売場で商品を購入する毎に、その商品の販売データをその売場に設置されているＰＯＳターミナル１で登録処理する。
【００４０】
具体的には、先ず、販売員キーＫ１を押下して販売員コードの入力を宣言した後、自身の名札に印刷されている販売員コードのバーコードシンボルをバーコードスキャナ２５で読取らせる。次に、商品登録用キーを操作して、上得意客が買上げた商品のコード，販売点数，販売金額，付随情報などの商品販売データを登録する。こうすることにより、この商品販売データがそれに関連する売場コード及び販売員コードとともに取引商品バッファ３１に格納される。
【００４１】
なお、本実施の形態では、１商品の販売データを登録する毎に、それに先立って販売員コードを入力するように構成しているが、例えばキーボード１８に販売員コードの入力をキャンセルするキーを設け、このキーが入力された場合には次の商品登録を可能にすることで、同一販売員が複数の商品の売上に貢献があった場合に販売員コードの入力を省略させることも可能である。
【００４２】
こうして、上得意客が買上げた商品の販売データをその売場のＰＯＳターミナル１にて登録処理したならば、販売員は上得意客に他の売場で引き続き買い物をするか否かを確認する。そして、買い物を継続する場合には、買廻キーＫ３を押下して、この売場での１取引について仮締めを行なう。これにより、取引商品バッファ３１のデータがこの１取引を識別するべく売場コードと取引番号とから作成された買廻票コードとともに管理サーバ２にオンライン送信される。そして、買廻品管理ファイル２Ｃにて取引商品バッファ３１のデータが買廻商品情報として買廻票コードと対応付けて記憶保持される。また、前記買廻票コードをバーコード化したバーコードシンボル等を印刷した買廻票４がプリンタ２３によりレシート用紙を用いて発行されるので、販売員はこの買廻票４を回収する。そして、上得意客について別の売場へ向かう。
【００４３】
一方、上得意客が買い物を終えたことを確認した場合には、販売員は、この上得意客が他の売場で商品を購入しているか否かを確認する。そして、購入しておりそのときの買廻票４を所持している場合には、買廻呼出キーＫ２を押下した後、買廻票４に印刷されている買廻票コードのバーコードシンボルをバーコードスキャナ２５で読取らせる。こうすることにより、この買廻票コードを検索キーとして管理サーバ２に問合せが行なわれ、買廻品管理ファイル２Ｃから当該買廻票コードに対応して記憶管理されている買廻商品情報が呼び出されて買廻商品バッファ３２に展開され記憶される。これにより、取引商品バッファ３１には、上得意客がこの売場で購入した商品の販売データが格納され、買廻商品バッファ３２には同一客が別の売場で購入した商品の販売データが格納される。
【００４４】
そこで、販売員は上得意客が申し出た決済方法に従い、該当する締めキーを入力する。例えば、上得意客が現金支払いによる決済を申し出た場合には預／現計キーＫ４を入力し、クレジットカードによる決済を申し出た場合にはクレジットキーＫ５を入力する。そうすることにより、取引商品バッファ３１に格納されている商品販売データと買廻商品バッファ３２に格納されている商品販売データとが一括して現金またはクレジットにより決済される。
【００４５】
なお、本実施の形態では、買廻票４が複数枚ある場合に、１枚毎に買廻呼出キーＫ２を入力してから買廻票コードをスキャニング読取りするように構成しているが、買廻票コードが連続してスキャニング読取りされた場合に図８のＳＴ６の二重読出しチェック処理に進むようにプログラムを構成することによって、２枚目以降は買廻呼出キーＫ２の入力を省略させることも可能である。
【００４６】
このように、本実施の形態によれば、買廻サービスにより買い物をした上得意客が買い物を終えた売場のＰＯＳターミナル１で、その客が他の売場で買上げられた商品を含めての一括決済ができるので、一括決済専用の決済端末を用いることなく複数の売場で購入された商品の一括決済を処理できる。したがって、一括決済専用の決済端末を不要にできるので、システムの低コスト化，設置スペースの不要化等を図ることができる。
【００４７】
また、上得意客が商品を買上げた売場毎にその売場のＰＯＳターミナル１で客買上げ商品の販売データを登録処理し仮締めを行なうことにより、その客買上商品の販売データなどを管理サーバ２の買廻品管理ファイル２Ｃで記憶管理し、この買廻品管理ファイル２Ｃの商品販売データを、買い物を終えた売場のＰＯＳターミナル１で一括して呼び出して決済するようにしたので、売場毎に買廻伝票を手書きで作成する必要がなくなる。したがって、販売員の負担を軽減できる。
【００４８】
また、仮締めの際に自動発行された買廻票４に印刷されたバーコードシンボルを、最後の売場のＰＯＳターミナル１に設けられたバーコードスキャナ２５で読取るだけで、その途中の売場での買上げ商品に関連するデータの入力を完了できる。したがって、データの入力に要する手間を簡素化でき、迅速に一括決済を処理できるようになる。しかも、売場コードや販売員コードの入力ミスもないので、売場別の売上管理や販売員の売上実績管理などの信頼性も向上できる。
【００４９】
なお、前記実施の形態では、販売員別の売上実績管理を行なうことを前提に説明したので、商品登録の前に販売員コードを入力するようにしたが、販売員別の売上実績管理を行なう必要がない場合には、販売員コードの入力を省略できる。
【００５０】
また前記実施の形態では、買廻票コードをバーコード化したバーコードシンボルをレシート用紙に印字して買廻票４として発行し、この買廻票４に印字されたバーコードシンボルをバーコードスキャナ２５で読取ることによって買廻票コードを入力し、この買廻票コードをキーとして買廻品管理ファイル２Ｃから該当する買廻商品情報を読出すようにしたが、買廻票コードをＩＣカードまたは磁気カード等のカード（買廻カードと称する）に記録し、この買廻カードに記録された買廻票コードをカードリーダで読取ることによって買廻票コードを入力し、この買廻票コードをキーとして買廻品管理ファイル２Ｃから該当する買廻商品情報を読出すようにしてもよい。
具体的には、前記実施の形態において、ＰＯＳターミナル１のＣＰＵ１１が実行する買廻キー処理を図１１に示す処理に変更し、買廻呼出キー処理を図１２に示す処理に変更する。
【００５１】
すなわちＣＰＵ１１は、前記買廻キーＫ３の入力を検知すると、ＳＴ１として取引処理フラグＦ１をチェックし、“１”にセットされていた場合には、ＳＴ２として当該１取引を識別する買廻票コードを前記実施の形態と同様に作成する。そして、ＳＴ３として取引商品バッファ３１に格納されている全レコード（売場コード，販売員コード，商品コード，点数，金額，付随情報）とＳＴ２で作成した買廻票コードとから買廻品送信伝文を作成し、この買廻品送信伝文を通信回線３を介して管理サーバ２に送信して、買廻品管理ファイル２Ｃに記憶させる（仮締め処理手段）。
【００５２】
次に、ＳＴ４として取引商品バッファ３１から読出した全レコードの内容と、買廻票コードとをプリンタ２３によりレシート用紙に印字させて、買廻票４を発行する。また、ＳＴ５としてカードリーダライタ２７に買廻カードが装着されるのを待機し、装着されたならば、ＳＴ６としてこの買廻カードに上記買廻票コードを記録させる（媒体発行手段）。
しかる後、ＳＴ７として取引処理フラグＦ１及び買廻処理フラグＦ２をいずれも“０”にリセットする。以上の買廻キー処理を実行させることにより、買廻票コードを買廻カードに記録させることができる。なお、１枚の買廻カードには複数の買廻票コードをまとめて記録できる。
【００５３】
またＣＰＵ１１は、前記買廻呼出キーＫ２の入力を検知すると、ＳＴ１としてカードリーダライタ２７に買廻カードが装着されるのを待機する。そして、買廻カードが装着されたならば、ＳＴ２としてその買廻カードに記録されている買廻票コードを一括して読込む。このとき、ＳＴ３として買廻カードから買廻票コードを読取ることができなかったならば、エラーとする。
ＳＴ３にて買廻票コードを読取ることができた場合には、その買廻票コードをＲＡＭ１３のワークエリア（不図示）に一時格納する。
【００５４】
次に、ＳＴ４として買廻処理フラグＦ２をチェックする。ここで、買廻処理フラグＦ２が“１”にセットされていない場合には、買廻商品情報の最初の呼出なので、ＳＴ５として買廻商品バッファ３２と買廻コードメモリ３８のデータをオールクリアする。また、ＳＴ６として前記買廻処理フラグＦ２を“１”にセットする。しかる後、ＳＴ７としてワークエリアに一時格納した全ての買廻票コードを買廻票コードメモリ３８に格納する。
【００５５】
一方、ＳＴ４にて買廻処理フラグＦ２が“１”にセットされている場合には、ＳＴ８としてワークエリアに一時格納した買廻票コードのなかに買廻票コードメモリ３８に格納されているコードと重複しているコードがあるか否かをチェックする。そして重複しているコードがある場合には、当該買廻票コードの買廻商品情報は既に読出されており二重読出しなので、操作エラーとする。
ＳＴ８にて重複しているコードがないと判断された場合には、ＳＴ９として買廻コードメモリ３８のデータをオールクリアした後、ＳＴ７に進み、ワークエリアに一時格納した全ての買廻票コードを買廻票コードメモリ３８に格納する。
【００５６】
次に、ＳＴ１０として買廻票コードメモリ３８から買廻票コードを１つずつ順番に読出し、その買廻票コードを検索キーとして問合せ伝文を作成し、この伝文を通信回線３を介して管理サーバ２に送信して、問合せを行なう。その結果、ＳＴ１１として一定時間内に買廻商品情報の正常応答を受信したならば、ＳＴ１２としてその買廻商品情報を買廻商品バッファ３２に展開して記憶する。
【００５７】
以上ＳＴ１０〜１２の処理を買廻票コードメモリ３８から買廻票コードを読み出す毎に繰り返す。そして、ＳＴ１３として買廻票コードメモリ３８のすべての買廻票コードについて問合せを終了したならば、この買廻呼出キー処理を終了する。これにより、買廻カードに記録された買廻票コードをカードリーダライタ２７で読取ることによって買廻票コードを入力し、この買廻票コードをキーとして買廻品管理ファイル２Ｃから該当する買廻商品情報を読出すことができる。
このような買廻カードを用いることによって、買廻表コードの読込みが簡単であり、入力ミスもなくなる。また、買廻サービスにより複数の売場で商品を買上げる１客に対して発行される記録媒体がカード１枚で済む上、１つのカードリーダライタで書込み手段及び読込み手段を兼用できる効果も奏する。
【００５８】
【発明の効果】
以上詳述したように、本願請求項１記載の発明によれば、一括決済専用の決済端末を用いることなく複数の売場で購入された商品を一括して決済することができる。したがって、システムコストを低減できるとともに、一括決済専用の決済端末の設置スペースを不要にできる。また、買廻伝票を手書きで作成する必要がないので、販売員の負担を軽減できる上、迅速かつ正確な一括決済を行なうことができる。
また、本願請求項２記載の発明によれば、上記請求項１記載の発明の効果に加えて、商品の買上に貢献した販売員の販売員コードを確実に入力できるようになり、販売員の実績管理の信頼性を向上できる効果を奏する。
また、本願請求項３記載の発明によれば、識別コードの読込みが簡単である上、入力ミスもなくなり、より一層、迅速かつ正確な一括決済を行なえるようになる。
さらに、本願請求項４記載の発明によれば、上記請求項３記載の発明と同等な効果を奏することはもとより、買廻サービスにより複数の売場で商品を買上げる１客に対して発行される記録媒体がカード１枚で済むので、取り扱いが容易な利点がある。
【図面の簡単な説明】
【図１】  本発明の一実施の形態であるＰＯＳシステムの概略図。
【図２】  図１に示す買廻品管理ファイルのデータ構造を示す図。
【図３】  同実施の形態におけるＰＯＳターミナルの要部構成を示すブロック図。
【図４】  同ＰＯＳターミナルのキーボードの構成を示す模式図。
【図５】  同実施の形態で印字発行される買廻票の一例を示す平面図。
【図６】  同ＰＯＳターミナルのＲＡＭに形成される主要なメモリエリアを示す図。
【図７】  同ＰＯＳターミナルのＣＰＵが実行する販売員キー処理を示す流れ図。
【図８】  同ＰＯＳターミナルのＣＰＵが実行する買廻呼出キー処理を示す流れ図。
【図９】  同ＰＯＳターミナルのＣＰＵが実行する買廻キー処理を示す流れ図。
【図１０】同ＰＯＳターミナルのＣＰＵが実行する締めキー処理を示す流れ図。
【図１１】本発明の他の実施の形態においてＰＯＳターミナルのＣＰＵが実行する買廻キー処理を示す流れ図。
【図１２】同他の実施の形態においてＰＯＳターミナルのＣＰＵが実行する買廻呼出キー処理を示す流れ図。
【符号の説明】
１…ＰＯＳターミナル
２…管理サーバ
２Ｃ…買廻品管理ファイル
３…通信回線
４…買廻票
１１…ＣＰＵ
１２…ＲＯＭ
１３…ＲＡＭ
１８…キーボード
２３…プリンタ
２５…バーコードスキャナ
２７…カードリーダライタ
３１…取引商品バッファ
３２…買廻商品バッファ
【図１】
0003694194.tif 000002
【図２】
0003694194.tif 000003
【図３】
0003694194.tif 000004
【図４】
0003694194.tif 000005
【図５】
0003694194.tif 000006
【図６】
0003694194.tif 000007
【図７】
0003694194.tif 000008
【図８】
0003694194.tif 000009
【図９】
0003694194.tif 000010
【図１０】
0003694194.tif 000011
【図１１】
0003694194.tif 000012
【図１２】
0003694194.tif 000013